(57)【要約】【課題】形状や寸法の異なる製品に用いる内箱を共通化することが目的とされる。【解決手段】内箱は、梱包用の外箱の内部に設置される内箱であって、直方体状の空間を包囲する４つの側壁部１〜４を備え、４つの側壁部１〜４は、互いに対向する２つの第１側壁部１，３と、互いに対向する２つの第２側壁部２，４とから構成されている。内箱は、第２側壁部２の上端縁２ａにて他方の第２側壁部４へ向けて折り曲げられた折り曲げ部Ｒ２１を更に備える。当該折り曲げ部には、その先端部を上記空間の底部側へ折り曲げることによって第１差し込み部２２が形成されている。第１側壁部１，３には、その上端縁１ａ，３ａから下端縁１ｂ，３ｂへ向けて第１差し込み部２２を差し込むための一対の第１スリットが複数箇所に形成されている。そして、第１差し込み部２２には、その先端縁２２ａから基端部へ向けて第１側壁部１，３を差し込むための一対の第２スリットが形成されている。【選択図】図１
2009241948.tif 000002
【特許請求の範囲】
【請求項１】
梱包用の外箱の内部に設置される内箱であって、直方体状の空間を包囲する４つの側壁部（１〜４）を備え、当該４つの側壁部は、互いに対向する２つの第１側壁部（１，３）と、互いに対向する２つの第２側壁部（２，４）とから構成され、
少なくとも一方の前記第２側壁部（２）の上端縁（２ａ）にて他方の前記第２側壁部（４）へ向けて折り曲げられた折り曲げ部（Ｒ２１）を更に備え、当該折り曲げ部には、その先端部を前記空間の底部側へ折り曲げることによって第１差し込み部（２２）が形成されており、
前記２つの第１側壁部には、その上端縁（１ａ；３ａ）から下端縁（１ｂ；３ｂ）へ向けて前記第１差し込み部を差し込むための一対の第１スリット（１１１，３１１，１１２，３１２）が複数箇所に形成され、
前記第１差し込み部（２２）には、その先端縁（２２ａ）から基端部へ向けて前記２つの第１側壁部を差し込むための一対の第２スリット（２２１，２２２）が形成されている、
内箱。
【請求項２】
請求項１に記載の内箱において、
同じ第１側壁部に属する前記第１スリットのうち隣接した２つの第１スリット（１１１，１１２；３１１，３１２）について、上端縁にて前記折り曲げ部（Ｒ２１）が折り曲げられている前記第２側壁部（２）に近い方の第１スリット（１１１，３１１）の長さ（Ｌ１）が、当該隣接した２つの第１スリット間の距離（Ｌ２）よりも大きい、
ことを特徴とする、内箱。
【請求項３】
請求項２に記載の内箱において、
前記第２側壁部（２）に近い方の第１スリット（１１１）の前記長さ（Ｌ１）が、前記隣接した２つの第１スリット（１１１，１１２）間の前記距離（Ｌ２）と当該第２側壁部から遠い方の第１スリット（１１２）の長さ（Ｌ３）との和と略同一である、
ことを特徴とする、内箱。
【請求項４】
請求項２または請求項３に記載の内箱において、
前記折り曲げ部（Ｒ２１）には、前記第１側壁部（１）の上端縁（１ａ）の端（１１ａ）から前記第１スリット（１１１，１１２）までの距離（Ｌ１１１，Ｌ１１２）に応じて折り目が形成されている、
ことを特徴とする、内箱。
【請求項５】
請求項４に記載の内箱において、
前記折り曲げ部（Ｒ２１）に形成された前記折り目と前記第２スリット（２２１）との距離（Ｌ４；Ｌ５）が、前記第１スリットのいずれかの長さ（Ｌ１；Ｌ３）と略同一である、
ことを特徴とする、内箱。
【請求項６】
請求項１乃至請求項５のいずれか一つに記載の内箱において、
前記折り曲げ部（Ｒ２１，Ｒ４１）は、前記第２側壁部（２，４）の両方の上端縁（２ａ，４ａ）にて折り曲げられ、前記第１差し込み部（２２，４２）は、当該折り曲げ部のそれぞれの前記先端部を前記空間の底部側へ折り曲げることによって形成され、
複数箇所に形成されている前記一対の第１スリットから成る第１スリット群が、前記２つの第１側壁部（１，３）に２つ形成されており、当該２つの群に前記第１差し込み部が１つずつ対応している、
ことを特徴とする、内箱。
【請求項７】
請求項１乃至請求項６のいずれか一つに記載の内箱において、
一方の前記第１側壁部（１）の上端縁（１ａ）にて、外側に折り返された折り返し部（Ｒ１１）を更に備え、前記折り返し部の一部分を他方の前記第１側壁部（３）へ向けて切り起こすことによって第２差し込み部（１２）が形成され、
前記２つの第１側壁部には、前記第２差し込み部を貫挿するための一対の第３スリット（Ｉ１１，３１６）が形成されている、
ことを特徴とする、内箱。
【請求項８】
請求項７に記載の内箱において、
前記折り返し部の一部分を切り起こすことによって形成された前記第２差し込み部（１２）の根元から先端までの長さ（Ｌ６）は、当該折り返し部が折り返されている前記第１側壁部の上端縁（１ａ）から当該根元までの距離（Ｌ７）の２倍よりも小さい、
ことを特徴とする、内箱。
【請求項９】
梱包用の外箱の内部に設置される内箱であって、直方体状の空間を包囲する４つの側壁部を備え、前記４つの側壁部（１〜４）は、互いに対向する２つの第１側壁部（１，３）と、互いに対向する２つの第２側壁部（２，４）とから構成され、
一方の前記第１側壁部（１）の上端縁（１ａ）にて、外側に折り返された折り返し部（１１）を更に備え、当該折り返し部の一部分を他方の前記第１側壁部（３）へ向けて切り起こすことによって差し込み部（１２）が形成され、
前記２つの第１側壁部には、前記第２差し込み部を貫挿するための一対の第３スリット（Ｉ１１，３１６）が形成されている、
ことを特徴とする、内箱。
【発明の詳細な説明】
【技術分野】
【０００１】
本発明は、内箱に関し、特にデジタルカメラなどの製品の緩衝材として使用される内箱に関する。
【背景技術】
【０００２】
従来から、デジタルカメラなどの製品は、付属部品と共に１つの梱包箱に収納される。付属部品には、例えば充電池や充電器、ＡＣ（Alternating  Current）コード、ＵＳＢ（Universal  Serial  Bus）ケーブル、ＡＶ（Audio‐Visual）ケーブル、取扱説明書、ＣＤ−ＲＯＭ（Compact  Disc  Read‐Only  Memory）などがある。
【０００３】
製品及びその付属部品を収納した状態で梱包箱に対して振動を与えると、梱包箱内で製品と付属部品とが接触し、延いては製品の破損を招くおそれがある。そこで従来から、製品と付属部品との間に緩衝材としての内箱を設けて、製品と付属部品との接触を防止している。
【０００４】
一般的には、所定の型に打ち抜かれた平板状のダンボールを折り曲げたものが、内箱として用いられている。例えば、平板状のダンボールを１枚だけ用いて、これを折り曲げることで内箱を形成する技術が、下掲の特許文献１〜３に開示されている。
【特許文献１】特開平９−３０１３５１号公報
【特許文献２】特開２０００−２５５５５９号公報
【特許文献３】特開２００２−１０４５２７号公報
【発明の開示】
【発明が解決しようとする課題】
【０００５】
しかし、従来から提案されている内箱は、製品の形状や寸法に合わせて設計されていたため、製品の形状や寸法が異なる場合には、製品ごとに異なる設計で内箱を作製する必要があった。具体的に、製品ごとに異なる型で平板状のダンボールを打ち抜く必要があった。製品ごとに異なる設計で内箱を作製すると、製造工程が煩雑化し、更にはコストの増大を招く。
【０００６】
本発明は、上述した事情に鑑みてなされたものであり、形状や寸法の異なる製品に用いる内箱を共通化することが目的とされる。
【課題を解決するための手段】
【０００７】
本発明に係る内箱は、梱包用の外箱の内部に設置される内箱であって、直方体状の空間を包囲する４つの側壁部を備え、当該４つの側壁部（１〜４）は、互いに対向する２つの第１側壁部（１，３）と、互いに対向する２つの第２側壁部（２，４）とから構成されており、少なくとも一方の第２側壁部（２）の上端縁（２ａ）にて他方の第２側壁部（４）へ向けて折り曲げられた折り曲げ部（Ｒ２１）を更に備える。当該折り曲げ部には、その先端部を上記空間の底部側へ折り曲げることによって第１差し込み部（２２）が形成されている。第１側壁部には、その上端縁（１ａ；３ａ）から下端縁（１ｂ；３ｂ）へ向けて第１差し込み部を差し込むための一対の第１スリット（１１１，３１１，１１２，３１２）が複数箇所に形成されている。そして、第１差し込み部（２２）には、その先端縁（２２ａ）から基端部へ向けて２つの第１側壁部を差し込むための一対の第２スリット（２２１，２２２）が形成されている。
【０００８】
上記内箱によれば、第１差し込み部に対応した一対の第１スリットを複数箇所に形成することによって、当該一対のスリットに対して選択的に第１差し込み部を差し込むことができる。また、第１及び第２スリットを用いることによって、第１差し込み部と第１側壁部とを十字状に組むことができるので、第１差し込み部と第１側壁部との所定の位置関係を維持することができる。
【０００９】
具体的な第１態様において、同じ第１側壁部に属する第１スリットのうち隣接した２つの第１スリット（１１１，１１２；３１１，３１２）について、上端縁にて折り曲げ部（Ｒ２１）が折り曲げられている第２側壁部（２）に近い方の第１スリット（１１１，３１１）の長さ（Ｌ１）が、当該隣接した２つの第１スリット間の距離（Ｌ２）よりも大きい。より具体的には、上記第２側壁部（２）に近い方の第１スリット（１１１）の長さ（Ｌ１）が、隣接した２つの第１スリット（１１１，１１２）間の距離（Ｌ２）と当該第２側壁部から遠い方の第１スリット（１１２）の長さ（Ｌ３）との和と略同一である。
【００１０】
上記具体的な第１態様によれば、上記第２側壁部に近い方の第１スリットに第１差し込み部を差し込んだ場合に、当該近い方の第１スリットの開放端から第１スリット間の距離以上下がった位置に閉塞端がくるように第２のスリットを形成することができる。かかる第２スリットによれば、当該第２側壁部から遠い方の第１スリットに第１差し込み部を差し込んだ場合にも、当該遠い方の第１のスリットの開放端から所定の距離だけ下がった位置に第２スリットの閉塞端が位置する。
【００１１】
また、折り曲げ部（Ｒ２１）には、第１側壁部（１）の上端縁（１ａ）の端（１１ａ）から第１スリット（１１１，１１２）までの距離（Ｌ１１１，Ｌ１１２）に応じて折り目が形成されている。これにより、内箱を作製する作業者は、折り曲げ位置を認識しやすい。
【００１２】
更には、折り曲げ部（Ｒ２１）に形成された折り目と第２スリット（２２１）との距離（Ｌ４；Ｌ５）が、第１スリットのいずれかの長さ（Ｌ１；Ｌ３）と略同一である。これにより、当該折り目にて折り曲げ部を折り曲げて形成した第１差し込み部を当該第１スリットに差し込んだときに、第２スリットの閉塞端が第１スリットの閉塞端に一致する。
【００１３】
具体的な第２態様において、折り曲げ部（Ｒ２１，Ｒ４１）は、第２側壁部（２，４）の両方の上端縁（２ａ，４ａ）にて折り曲げられ、第１差し込み部（２２，４２）は、当該折り曲げ部のそれぞれの先端部を上記空間の底部側へ折り曲げることによって形成されている。そして、複数箇所に形成されている一対の第１スリットから成る第１スリット群が、第１側壁部（１，３）に２つ形成されており、当該２つの群に第１差し込み部が１つずつ対応している。
【００１４】
具体的な第３態様において、一方の第１側壁部（１）の上端縁（１ａ）にて、外側に折り返された折り返し部（Ｒ１１）を更に備え、折り返し部の一部分を他方の第１側壁部（３）へ向けて切り起こすことによって第２差し込み部（１２）が形成されている。そして、２つの第１側壁部には、第２差し込み部を貫挿するための一対の第３スリット（Ｉ１１，３１６）が形成されている。
【００１５】
上記具体的な第３態様によれば、第３スリットの両方に第２差し込み部を貫挿することで、第３スリットの高さ位置に内箱の底面を形成することができ、以って内箱の深さを変えることができる。
【００１６】
より具体的には、折り返し部の一部分を切り起こすことによって形成された第２差し込み部（１２）の根元から先端までの長さ（Ｌ６）は、当該折り返し部が折り返されている第１側壁部の上端縁（１ａ）から当該根元までの距離（Ｌ７）の２倍よりも小さい。これにより、折り返し部が折り返された側壁部に形成されている第３スリットへの第２差し込み部の挿入を、当該側壁部に対して略垂直又は斜めに傾いた方向から行うことができる。
【００１７】
本発明に係る他の内箱は、梱包用の外箱の内部に設置される内箱であって、直方体状の空間を包囲する４つの側壁部を備え、前記４つの側壁部（１〜４）は、互いに対向する２つの第１側壁部（１，３）と、互いに対向する２つの第２側壁部（２，４）とから構成されており、一方の第１側壁部（１）の上端縁（１ａ）にて、外側に折り返された折り返し部（１１）を更に備える。当該折り返し部の一部分を他方の第１側壁部（３）へ向けて切り起こすことによって差し込み部（１２）が形成されている。そして、第１側壁部には、第２差し込み部を貫挿するための一対の第３スリット（Ｉ１１，３１６）が形成されている。
【発明の効果】
【００１８】
本発明に係る内箱によれば、製品ごとに形状や寸法が異なる場合であっても、その製品の形状や寸法に合った緩衝材を同じ内箱から得ることができる。このため、形状や寸法の異なる製品において内箱を共通化することができる。
【発明を実施するための最良の形態】
【００１９】
以下、本発明の実施の形態につき、図面に沿って具体的に説明する。
【００２０】
本発明に実施の形態に係る内箱は、１枚の板材を折り曲げることで作製され、梱包用の外箱の内部に設置されることによって、例えば梱包される製品の緩衝材として用いられる。当該内箱は、図１に示す如く、直方体状の内部空間を形成している。内箱は、当該内部空間を包囲する４つの側壁部１〜４を備え、当該４つの側壁部１〜４は、互いに対向する２つの第１側壁部１，３と、互いに対向する２つの第２側壁部２，４とから構成されている。
【００２１】
内箱の作製方法について、展開した内箱の表面を示した図２を用いて説明する。尚、内箱の作製方法は、ステップ（ａ）〜（ｇ）によって構成されている。以下では、板材の折り曲げ方に関して、板材の表面が谷となる折り方を「谷折り」と称し、板材の表面が山となる折り方を「山折り」と称す。
【００２２】
ステップ（ａ）；
まず、打ち抜き等によって、図２に示した形状を呈する板材を作製する。板材には、板部Ｒ５，Ｒ１〜Ｒ４，Ｒ１１〜Ｒ４１が形成されている。板部Ｒ５は、Ａ１線〜Ａ４線によって囲まれた長方形を呈する。板部Ｒ１〜Ｒ４はいずれも板部Ｒ５に繋がっており、板部Ｒ１〜Ｒ４のそれぞれと板部Ｒ５との境界が１線〜Ａ４線によって表わされている。そして、板材には、Ａ１線〜Ａ４線に沿って折り目が付けられている。
【００２３】
更に板材には、Ｃ２１線及びＣ２２線に沿って切込みが形成されており、板部Ｒ２が板部Ｒ１，Ｒ３から切り離されている。同様に、板材には、Ｃ４１線及びＣ４２線に沿って切込みが形成されており、板部Ｒ４が板部Ｒ１，Ｒ３から切り離されている。そして、Ｃ２１線及びＣ２２線は、Ａ２線の両側の位置にてＡ２線に沿って延びており、Ｃ４１線及びＣ４２線は、Ａ４線の両側の位置にてＡ４線に沿って延びている。
【００２４】
板部Ｒ１１は板部Ｒ１に繋がっており、板部Ｒ１１と板部Ｒ１との境界が、Ａ１線に略平行なＢ１線によって表わされている。板部Ｒ２１は板部Ｒ２に繋がっており、板部Ｒ２１と板部Ｒ２との境界が、Ａ２線に略平行なＤ２線によって表わされている。板部Ｒ３１は板部Ｒ３に繋がっており、板部Ｒ３１と板部Ｒ３との境界が、Ａ３線に略平行なＢ３線によって表わされている。板部Ｒ４１は板部Ｒ４に繋がっており、板部Ｒ４１と板部Ｒ４との境界が、Ａ４線に略平行なＤ４線によって表わされている。そして、板材には、Ｂ１線、Ｂ２線、Ｄ１線及びＤ２線のそれぞれに沿って折り目が付けられている。
【００２５】
Ａ１線からＢ１線までの距離Ｌ１５と、Ａ３線からＢ１線までの距離Ｌ３５とは略同一であり、Ａ２線からＤ２線までの距離Ｌ２１は、距離Ｌ１５，Ｌ３５と略同一である。また、Ａ４線からＤ４線までの距離Ｌ４１も、距離Ｌ１５，Ｌ３５と略同一である。
【００２６】
板部Ｒ１，Ｒ１１；；
板部Ｒ１及び板部Ｒ１１には、これらに跨ってスリットＨ１１〜Ｈ１４が形成されている。スリットＨ１１〜Ｈ１４はいずれも、Ｂ１線を含む直線Ｂ１０１を軸（対称軸）として左右対称に形成されている。スリットＨ１１〜Ｈ１４はこの順に並んでおり、スリットＨ１１ほど板部２に近い。そして、スリットＨ１１，Ｈ１４はそれぞれ、スリットＨ１２，Ｈ１３よりも長く形成されている。
【００２７】
板部Ｒ１及び板部Ｒ１１には、これらに跨って孔Ｊ１が更に形成されている。孔Ｊ１は、スリットＨ１２とスリットＨ１３との間の位置にて、直線Ｂ１０１を軸（対称軸）として左右対称に形成されている。
【００２８】
板部Ｒ１１には、板部Ｒ１２が形成されている。板部Ｒ１２は、板部Ｒ１１の先端縁ｅ１と、Ａ１線と略平行に延びたＧ１１線と、Ｇ１１線の両端から先端縁ｅ１まで延びたＧ１２線及びＧ１３線とで囲まれている。そして、板部Ｒ１には、Ｇ１１線に沿って折り目が付けられており、Ｇ１２線及びＧ１３線に沿って切込みが形成されている。
【００２９】
板部Ｒ１には、スリットＩ１１が形成されている。スリットＩ１１は、Ｂ１線に対してＧ１１線と対称な位置にて、Ａ１線に略平行に延びている。スリットＩ１１の長さは、板部Ｒ１２の幅と略同一か、又はそれよりも小さい。
【００３０】
板部Ｒ３，Ｒ３１；；
板部Ｒ３及び板部Ｒ３１には、これらに跨ってスリットＨ３１〜Ｈ３４が形成されている。スリットＨ３１〜Ｈ３４はいずれも、線Ｂ３を含む直線Ｂ３０１を軸（対称軸）として左右対称に形成されている。しかも、スリットＨ３１〜Ｈ３４は、板部Ｒ５の中心線Ａ１０５を軸（対象軸）として、スリットＨ１１〜Ｈ１４と左右対称となるように形成されている。スリットＨ３１〜Ｈ３４はこの順に並んでおり、スリットＨ３１ほど板部２に近い。そして、スリットＨ３１，Ｈ３４はそれぞれ、スリットＨ３２，Ｈ３３よりも長く形成されている。
【００３１】
板部Ｒ３及び板部Ｒ３１には、これらに跨って孔Ｊ３が更に形成されている。孔Ｊ３は、スリットＨ３２とスリットＨ３３との間の位置にて、直線Ｂ３０１を軸（対称軸）として左右対称に形成されている。
【００３２】
また、板部Ｒ３及び板部Ｒ３１のそれぞれには、スリットＩ３１，Ｉ３２が形成されている。スリットＩ３１，Ｉ３２は、いずれもＡ３線に略平行に延びており、Ｂ３線を軸（対称軸）として左右対称に形成されている。しかも、スリットＩ３１については、中心線Ａ１０５を軸（対象軸）としてスリットＩ１１と左右対称となるように形成されている。
【００３３】
板部Ｒ２，Ｒ２１；；
板部Ｒ２及び板部Ｒ２１には、これらに跨って板部Ｒ２２が形成されている。板部Ｒ２２は、Ｄ２線に略垂直に延びたＣ２３線及びＣ２４線と、Ｃ２３線の両端からＣ２４線の両端までＡ２線に略平行に延びたＦ２３線及びＦ２５線とで囲まれている。そして、板部Ｒ２及び板部Ｒ２１には、Ｆ２３線及びＦ２５線に沿って折り目がそれぞれ付けられており、Ｃ２３線及びＣ２４線に沿って切込みが形成されている。また、板部Ｒ２２には、Ｆ２３線とＦ２５線との間の位置にて、Ｃ２３線からＣ２４線までＦ２３線に略平行に延びたＦ２４線に沿って、折り目が付けられている。
【００３４】
板部Ｒ２１には、Ｅ２１線及びＥ２２線に沿って折り目が付けられている。Ｅ２１線及びＥ２２線は、Ｄ２線側からこの順に位置し、Ｄ２線に略平行に延びている。そして、Ｄ２線からＥ２１線までの距離Ｌ２２は、板部Ｒ１１（又はＲ１）の側端縁ｅ１１からスリットＨ１１までの距離Ｌ１１、及び板部Ｒ３１（又はＲ３）の側端縁ｅ３１からスリットＨ３１までの距離Ｌ３１のそれぞれと略同一である。また、Ｄ２線からＥ２２線までの距離Ｌ２３は、側端縁ｅ１１からスリットＨ１２までの距離Ｌ１２、及び側端縁ｅ３１からスリットＨ３２までの距離Ｌ３２のそれぞれと略同一である。つまり、Ｅ２１線及びＥ２２線上の折り目は、距離Ｌ１１，Ｌ１２（又はＬ３１，Ｌ３２）に応じて形成されている。
【００３５】
板部Ｒ２１には、スリットＨ２１，Ｈ２２が形成されている。具体的にはスリットＨ２１，Ｈ２２は、Ｅ２２線に対して板部Ｒ２とは反対側の位置で、Ａ３線を含む直線Ａ１０３及びＡ１線を含む直線Ａ１０１から外側に少しだけずれた位置にて、板部Ｒ２１に形成されている。
【００３６】
更に板部Ｒ２１には、Ｃ２５線及びＣ２６線に沿って切られた切込みと、板部Ｒ２３，Ｒ２４とが形成されている。Ｃ２５線及びＣ２６線はそれぞれ、スリットＨ２１，Ｈ２２のＥ２２線とは反対側の端から板部Ｒ２１の両側端縁ｅ２１，ｅ２２まで、Ｅ２２線に略平行に延びている。
【００３７】
板部Ｒ２３は、板部Ｒ２１の先端縁ｅ２と、板部Ｒ２１の側端縁ｅ２１と、Ｃ２５線と、直線Ａ１０３に略平行に延びたＦ２１線とで囲まれている。板部Ｒ２４は、板部Ｒ２１の先端縁ｅ２と、板部Ｒ２１の側端縁ｅ２２と、Ｃ２６線と、直線Ａ１０１に略平行に延びたＦ２２線とで囲まれている。そして、板部Ｒ２１には、Ｆ２１線及びＦ２２線に沿って折り目が付けられている。
【００３８】
板部Ｒ４，Ｒ４１；；
板部Ｒ４及び板部Ｒ４１には、これらに跨って板部Ｒ４２が形成されている。板部Ｒ４２は、Ｄ４線に略垂直に延びたＣ４３線及びＣ４４線と、Ｃ４３線の両端からＣ４４線の両端までＡ４線に略平行に延びたＦ４３線及びＦ４５線とで囲まれている。そして、板部Ｒ４及び板部Ｒ４１には、Ｆ４３線及びＦ４５線に沿って折り目がそれぞれ付けられており、Ｃ４３線及びＣ４４線に沿って切込みが形成されている。また、板部Ｒ４２には、Ｆ４３線とＦ４５線との間の位置にて、Ｃ４３線からＣ４４線までＦ４３線に略平行に延びたＦ４４線に沿って折り目が付けられている。
【００３９】
板部Ｒ４１には、Ｅ４１線、Ｅ４２線に沿って折り目が付けられている。Ｅ４１線及びＥ４２線は、Ｄ４線側からこの順に位置し、Ｄ４線に略平行に延びている。そして、Ｄ４線からＥ４１線までの距離Ｌ４２は、板部Ｒ１１（又はＲ１）の側端縁ｅ１２からスリットＨ１４までの距離Ｌ１４、及び板部Ｒ３１（又はＲ３）の側端縁ｅ３２からスリットＨ３４までの距離Ｌ３４のそれぞれと略同一である。また、Ｄ４線からＥ４２線までの距離Ｌ４３は、側端縁ｅ１２からスリットＨ１３までの距離Ｌ１３、及び側端縁ｅ３２からスリットＨ３３までの距離Ｌ３３のそれぞれと略同一である。つまり、Ｅ４１線及びＥ４２線上の折り目は、距離Ｌ１３，Ｌ１４（又はＬ３３，Ｌ３４）に応じて形成されている。
【００４０】
板部Ｒ４１には、スリットＨ４１，Ｈ４２が形成されている。具体的にはスリットＨ４１，Ｈ４２は、Ｅ４２線に対して板部Ｒ４とは反対側の位置で、Ａ３線を含む直線Ａ１０３及びＡ１線を含む直線Ａ１０１から外側に少しだけずれた位置にて、板部Ｒ４１に形成されている。
【００４１】
更に板部Ｒ４１には、Ｃ４５線及びＣ４６線に沿って切られた切込みと、板部Ｒ４３，Ｒ４４とが形成されている。Ｃ４５線及びＣ４６線はそれぞれ、スリットＨ４１，Ｈ４２のＥ４２線とは反対側の端から板部Ｒ４１の両側端縁ｅ４１，ｅ４２まで、Ｅ４２線に略平行に延びている。
【００４２】
板部Ｒ４３は、板部Ｒ４１の先端縁ｅ４と、板部Ｒ４１の側端縁ｅ４１と、Ｃ４５線と、直線Ａ１０３に略平行に延びたＦ４１線とで囲まれている。板部Ｒ４４は、板部Ｒ４１の先端縁ｅ４と、板部Ｒ４１の側端縁ｅ４２と、Ｃ４６線と、直線Ａ１０１に略平行に延びたＦ４２線とで囲まれている。そして、板部Ｒ４１には、Ｆ４１線及びＦ４２線に沿って折り目が付けられている。
【００４３】
上述したＡ１線〜Ａ４線、Ｂ１線、Ｂ３線、Ｄ２線、Ｄ４線、Ｅ２１線，Ｅ２２線、Ｅ４１線、Ｅ４２線、Ｆ２１線〜Ｆ２５線、Ｆ４１線〜Ｆ４５線、及びＧ１１線に沿って付けられた折り目は、後述するステップ（ｂ）〜（ｇ）で用いられ、所定の位置での折り曲げを容易にする。
【００４４】
ステップ（ｂ）；
図３に示す如く、Ａ１線〜Ａ４線にて板材を「谷折り」とし、板部Ｒ１〜Ｒ４を板部Ｒ５に対して垂直に立ち上げる。これにより、板部Ｒ１と板部Ｒ３とが互いに向き合い、板部Ｒ２と板部Ｒ４とが互いに向き合う。つまり、板部Ｒ５によって内箱の底壁部５が形成され、板部Ｒ１，Ｒ３によって内箱の第１側壁部１，３が形成され、板部Ｒ２，Ｒ４によって内箱の第２側壁部２，４が形成される。尚、図３では、板部Ｒ４だけが立ち上げ前の状態にある。
【００４５】
ステップ（ａ）で説明した様に、距離Ｌ１５と距離Ｌ３５とは略同一であり、距離Ｌ２１及び距離Ｌ４１は距離Ｌ１５，Ｌ３５と略同一であるので、板部Ｒ１〜Ｒ４を立ち上げたときのＢ１線、Ｄ２線、Ｂ３線、Ｄ４線は、底壁部５から略同一の高さに位置する。
【００４６】
Ａ２線での板材の折り曲げによって板部Ｒ２が立ち上がると共に、図３に示される様に、板部Ｒ２に繋がっている板部Ｒ２１も立ち上がる。同様に、Ａ４線での板材に折り曲げによって板部Ｒ４が立ち上がると共に、板部Ｒ４に繋がっている板部Ｒ４１も立ち上がる（図示せず）。
【００４７】
また、Ａ１線での板材の折り曲げによって板部Ｒ１が立ち上がると共に、板部Ｒ１に繋がっている板部Ｒ１１も立ち上がる（図示せず）。同様に、Ａ３線での板材の折り曲げによって板部Ｒ３が立ち上がると共に、板部Ｒ３に繋がっている板部Ｒ３１も立ち上がる。
【００４８】
ステップ（ｃ）；
第１スリットの形成；；
ステップ（ｂ）の実行後、又は実行前に、Ｂ１線及びＢ３線にて板材を「山折り」とする。これにより、図３に示す如く、Ｂ１線に沿って第１側壁部１の上端縁１ａが形成されると共に、板部Ｒ１１が第１側壁部１（板部Ｒ１）に重なる。また、Ｂ３線に沿って第１側壁部３の上端縁３ａが形成されると共に、板部Ｒ３１が第１側壁部３（Ｒ３）に重なる。つまり、第１側壁部１，３の上端縁１ａ，３ａにて板部Ｒ１１，Ｒ３１を外側に折り返すことによって、板部Ｒ１１，Ｒ３１のそれぞれが第１側壁部１，３に重なる。尚、板部Ｒ１１，Ｒ３１は第１側壁部１，３の上端縁１ａ，３ａにて外側に折り返された折り返し部と把握することができる。
【００４９】
板部Ｒ１１と第１側壁部１（板部Ｒ１）とを重ねることによって、Ｂ１線を含む直線Ｂ１０１を軸として左右対称に形成されているスリットＨ１１は、直線Ｂ１０１にて折り畳まれる。これにより、一端１１１ａが上端縁１ａにて開放した１つの第１スリット１１１が形成される。同様に、スリットＨ１２〜Ｈ１４のそれぞれから、一端１１２ａ〜１１４ａが上端縁１ａにて開放した第１スリット１１２〜１１４が形成される。このときの第１スリット１１１〜１１４は、第１側壁部１の上端縁１ａから下端縁１ｂへ向かって延びている。
【００５０】
また、板部Ｒ３１と第１側壁部３（板部Ｒ３）とを重ねることによって、板部３１に形成されているスリットＨ３１〜Ｈ３４のそれぞれから、一端３１１ａ〜３１４ａが上端縁３ａにて開放した第１スリット３１１〜３１４が形成される。このときの第１スリット３１１〜３１４は、第１側壁部３の上端縁３ａから下端縁３ｂに向かって延びている。
【００５１】
中心線Ａ１０５の位置にて底壁部５に垂直に立てられた仮想的な面に対して、第１スリット１１１〜１１４と第１スリット３１１〜３１４とは左右対称である。これは、ステップ（ａ）で説明した様に、スリットＨ１１〜Ｈ１４とスリットＨ３１〜Ｈ３４とが、中心線１０５Ａを軸として左右対称に形成されているからである。
【００５２】
第１スリットに関する寸法（その１）；；
第１スリット１１１，１１２は、板部Ｒ１と板部Ｒ１１とを重ねることによって形成されるので、図３に示される様に、第１側壁部１の上端縁１ａの一端１１ａから第１スリット１１１，１１２までの距離Ｌ１１１，Ｌ１１２は、ステップ（ａ）で説明した距離Ｌ１１，Ｌ１２（図２）に等しくなる。また、上端縁１ａの他端１１ｂから第１スリット１１３，１１４までの距離Ｌ１１３，Ｌ１１４は、図３に示される様に、距離Ｌ１３，Ｌ１４（図２）に等しくなる。
【００５３】
尚、第１スリット１１１，１１２を形成した状態では、板部Ｒ２１に形成されているＥ２１線及びＥ２２線に沿って付けられた折り目を、次のように把握することができる。つまり、板部Ｒ２１には、上端縁１ａの一端１１ａから第１スリット１１１，１１２までの距離Ｌ１１１，Ｌ１１２に応じて、当該折り目が形成されている。また、Ｅ４１線及びＥ４２線に沿って形成されている折り目について、板部Ｒ４１には、上端縁１ａの他端１１ｂから第１スリット１１３，１１４までの距離Ｌ１１３，Ｌ１１４に応じて、当該折り目が形成されていると把握することができる。
【００５４】
同様に、第１スリット３１１〜３１４は、板部Ｒ３と板部Ｒ３１とを重ねることによって形成されるので、第１側壁部３の上端縁３ａの一端３１ａから第１スリット３１１，３１２までの距離は距離Ｌ３１，Ｌ３２（図２）に等しくなり、上端縁３ａの他端３１ｂから第１スリット３１３，３１４までの距離は距離Ｌ１３，Ｌ１４（図２）に等しくなる。
【００５５】
第１スリットに関する寸法（その２）；；
板材の折り曲げによって形成された第１スリット１１１，１１２に関する寸法について、図３を用いて説明する。第１スリット１１１の長さＬ１は、第１スリット１１１，１１２間の距離Ｌ２よりも大きい。より具体的には、第１スリット１１１の長さＬ１は、第１スリット１１１，１１２間の距離Ｌ２と第１スリット１１２の長さＬ３との和と略同一である。
【００５６】
ステップ（ａ）で説明した様に第１スリット３１１，３１２は第１スリット１１１，１１２と左右対称に形成されているので、第１スリット３１１，３１２に関する寸法は、第１スリット１１１，１１２に関する寸法Ｌ１〜Ｌ３と同じである。
【００５７】
また、第１スリット１１３，１１４に関する寸法は、第１スリット１１１，１１２に関する寸法と同じ関係にある。そして、ステップ（ａ）で説明した様に第１スリット３１３，３１４は第１スリット１１３，１１４と左右対称に形成されているので、第１スリット３１３，３１４に関する寸法は、第１スリット１１３，１１４に関する寸法と同じである。
【００５８】
製品取出し用の溝の形成；；
Ｂ１線にて板材を「山折り」として板部Ｒ１１と第１側壁部１（板部Ｒ１）とを重ねることによって、Ｂ１線を含む直線Ｂ１０１を軸として左右対称に形成されている孔Ｊ１は、直線Ｂ１０１にて折り畳まれる。これにより、一端１１５ａが上端縁１ａにて開放した１つの溝１１５が形成される。
【００５９】
同様に、Ｂ３線にて板材を「山折り」として板部Ｒ３１と第１側壁部３（板部Ｒ３）とを重ねることによって、孔Ｊ３から、一端３１５ａが上端縁３ａにて開放した溝３１５が形成される。
【００６０】
スリット３１６の第１側壁部３への形成；；
Ｂ３線にて板材を「山折り」として板部Ｒ３１と第１側壁部３（板部Ｒ３）とを重ねることによって、Ｂ３線を含む直線Ｂ３０１を軸として左右対称に形成されているスリットＩ３１とＩ３２とが繋がって、１つのスリット３１６が第１側壁部３に形成される。以下では、スリット３１６を「第３スリット３１６」と称し、同様にスリットＩ１１も「第３スリットＩ１１」と称す。
【００６１】
第１側壁部３に形成された第３スリット３１６は、第１側壁部１に形成されている第３スリットＩ１１（図示せず）と同じ高さに位置する。これは、ステップ（ａ）で説明した様に、第３スリット３１６の形成に用いたスリットＩ３１と、第３スリットＩ１１とが、板部Ｒ５の中心線Ａ１０５を軸として左右対称に形成されているからである。
【００６２】
ステップ（ｄ）；
差し込み部１２の板部Ｒ１１への形成と、その貫挿；；
ステップ（ｃ）の実行に並行して、本ステップ（ｄ）を選択的に実行する。本ステップ（ｄ）を実行する場合には、図４に示す如く、Ｇ１１線にて板部Ｒ１１を「山折り」とする。これにより、板部Ｒ１１の一部分である板部Ｒ１２が板部Ｒ１１の裏面へと切り起こされて、差し込み部１２が形成される。以下では、差し込み部１２を「第２差し込み部１２」と称す。
【００６３】
第２差し込み部１２は、第３スリットＩ１１に貫挿される。このときステップ（ｃ）では、第２差し込み部１２を第３スリットＩ１１に貫挿しながら、板部Ｒ１１を第１側壁部１（板部Ｒ１）に重ねる。そして、第２差し込み部１２の先端部を、ステップ（ｃ）で形成された第３スリット３１６に貫挿する。尚、第３スリットＩ１１及び第３スリット３１６の両方に第２差し込み部１２が貫挿されることに鑑みれば、第３スリットＩ１１及び第３スリット３１６は、第２差し込み部１２を貫挿するための一対の第３スリットと把握することができる。
【００６４】
本ステップ（ｄ）を実行することにより、第３スリットＩ１１及び第３スリット３１６の高さの位置に内箱の底面を形成することができ、以って内箱の深さを変えることができる。よって、製品ごとに形状や寸法が異なる場合であっても、その製品の形状や寸法に合った緩衝材を同じ内箱から得ることができる。このため、形状や寸法の異なる製品において内箱を共通化することができる。
【００６５】
しかも、板部Ｒ１１の一部分である板部Ｒ１２を切り起こすことによって第２差し込み部１２が形成されているので、内箱の底面を形成するための部材を別途に用意する必要がなく、以って内箱の製造が簡略化される。
【００６６】
第２差し込み部１２の寸法；；
板部Ｒ１２を切り起こすことによって形成された第２差し込み部１２は、その根元から先端までの長さＬ６（図４）が、第１側壁部１の上端縁１ａから当該根元までの距離Ｌ７（図４）の２倍の長さよりも小さい。図２に示される内箱の展開図においては、距離Ｌ７の２倍の長さは、Ｇ１１線から第３スリットＩ１１までの距離に相当する。
【００６７】
上記寸法の第２差し込み部１２によれば、第１側壁部１に形成されている第３スリットＩ１１への第２差し込み部１２の挿入を、第１側壁部１に対して略垂直又は斜めに傾いた方向から行うことができる。よって、第２差し込み部１２の第３スリットＩ１１への挿入が容易となる。
【００６８】
ステップ（ｅ）；
第２スリットの形成；；
ステップ（ｃ）の実行後、又は実行前に、図３に示す如く、Ｆ２１線及びＦ２２線にて板部Ｒ２１を「谷折り」とする。これにより、スリットＨ２１，Ｈ２２から、一端２２１ａ，２２２ａが開放した第２スリット２２１，２２２が形成される。このときの第２スリット２２１，２２２は、図３に示される様に、板部Ｒ２１の先端縁２２ａから基端部に向かって延びている。
【００６９】
同様に、Ｆ４１線及びＦ４２線（図２）にて板部Ｒ４１を谷折りとすることによって、スリットＨ４１，Ｈ４２から、一端４２１ａ，４２２ａが開放した第２スリット４２１，４２２が形成される。
【００７０】
第２スリットと折り目との位置関係；；
Ｅ２１線及びＥ２２線に沿って形成された折り目のそれぞれから第２スリット２２２までの距離Ｌ４，Ｌ５（図３）は、第１スリット１１１，１１２の長さＬ１，Ｌ３と略同一である。また、Ｅ２１線及びＥ２２線に沿って形成された折り目のそれぞれから第２スリット２２１のまでの距離は、第１スリット３１１，３１２の長さと略同一である（図示せず）。
【００７１】
同様に、Ｅ４１線及びＥ４２線に沿って形成された折り目のそれぞれから第２スリット４２２までの距離は、第１スリット１１４，１１３のそれぞれの長さと略同一である（図示せず）。また、Ｅ４１線及びＥ４２線に沿って形成された折り目のそれぞれから第２スリット４２１までの距離は、第１スリット３１４，３１３のそれぞれの長さと略同一である（図示せず）。
【００７２】
ステップ（ｆ）；
差し込み部２２の板部Ｒ２１への形成と、その差し込み；；
ステップ（ｂ）〜（ｅ）の実行後、Ｄ２線にて板材を「谷折り」とする。これにより、図１に示す如く、Ｄ２線に沿って第２側壁部２の上端縁２ａが形成されると共に、板部Ｒ２１が上端縁１ａ，３ａ側から第１側壁部１，３に被さる。尚、当該板部Ｒ２１は、第２側壁部２の上端縁２ａにて第２側壁部４へ向けて折り曲げられた折り曲げ部と把握することができる。
【００７３】
Ｄ２線で折り曲げることによって、Ｅ２１線に沿って付けられた折り目は第１スリット１１１，３１１上に位置し、Ｅ２２線に沿って付けられた折り目は第１スリット１１２，３１２上に位置する。これは、ステップ（ｃ）で説明した様に、Ｅ２１線及びＥ２２線上の折り目が、上端縁１ａの一端１１ａから第１スリット１１１，１１２までの距離Ｌ１１１，Ｌ１１２に応じて形成されているからである。
【００７４】
次に、図５または図６に示す如く、Ｅ２１線またはＥ２２線にて板部Ｒ２１を「谷折り」する。これにより、板部Ｒ２１の先端部が底壁部５側へ折り曲げられて、差し込み部２２が形成される。以下では、差し込み部２２を「第１差し込み部２２」と称す。
【００７５】
第１差し込み部２２の形成によって第２スリット２２１，２２２は、図４及び図５に示される様に、第１差し込み部２２にのみ切り込まれた状態となる。これは、ステップ（ａ）で説明した様に、第２スリット２２１，２２２の形成に用いたスリットＨ２１，Ｈ２２（ステップ（ｅ））が、Ｅ２２線に対して板部Ｒ２とは反対側の位置にあるからである。
【００７６】
Ｅ２１線で折り曲げて形成された第１差し込み部２２は、図５に示す如く、第１スリット１１１，３１１に差し込まれる。他方、Ｅ２２線で折り曲げて形成された第１差し込み部２２は、図６に示す如く、第１スリット１１２，３１２に差し込まれる。
【００７７】
つまり、第１スリット１１１と第１スリット３１１は、第１差し込み部２２を差し込むためのスリットとして対を成し、第１スリット１１２と第１スリット３１２もまた、第１差し込み部２２を差し込むためのスリットとして対を成す。換言すれば、第１側壁部１，３には、第１差し込み部２２を差し込むための一対の第１スリットが複数箇所に形成されている。そして、第１差し込み部２２を差し込むために複数箇所に形成された一対の第１スリットは、第１差し込み部２２に対応した１つのスリット群を成している。
【００７８】
また、スリット２２１，２２２の形成に用いられるスリットＨ２１，Ｈ２２は、ステップ（ａ）で説明した様に、直線Ａ１０３，Ａ１０１から外側に少しだけずれた位置に形成されているので、第１スリット１１１，３１１及び第１スリット１１２、３１２のどちらに第１差し込み部２２を差し込む場合においても、第１差し込み部２２に形成されている第２スリット２２１には第１側壁部３を差し込むことができ、第２スリット２２２には第１側壁部１を差し込むことができる。つまり、第２スリット２２１，２２２は、第１側壁部３，１を差し込むためのスリットとして対を成している。
【００７９】
第１スリット１１１又は１１２に第１差し込み部２２を差し込み、第２スリット２２２に第１側壁部１を差し込むことによって、第１スリット１１１または第１スリット１１２と、第２スリット２２２とが噛み合って、第１差し込み部２２と第１側壁部１とが十字状に組まれる。同様に、第１スリット３１１又は３１２に第１差し込み部２２を差し込み、第２スリット２２１に第１側壁部３を差し込むことによって、第１スリット３１１または第１スリット３１２と、第２スリット２２１とが噛み合って、第１差し込み部２２と第１側壁部３とが十字状に組まれる。
【００８０】
第１差し込み部２２の形成・差し込みによる効果；；
第１差し込み部２２に対応した一対の第１スリットを複数箇所に形成することによって、当該一対の第１スリットに対して選択的に第１差し込み部２２を差し込むことができる。よって、内箱の内部空間の拡縮が自在となる。
【００８１】
具体的には、第１差し込み部２２を一対の第１スリット１１１，３１１に差し込んだ場合と、第１差し込み部２２を一対の第１スリット１１２，３１２に差し込んだ場合とで、内箱の内部空間の仕切り位置を変えることができる。より具体的には、第１差し込み部２２を一対の第１スリット１１２，３１２に差し込むことにより、第１差し込み部２２を一対の第１スリット１１１，３１１に差し込んだ場合よりも、内部空間を縮めることができる。
【００８２】
また、第１及び第２スリットを用いることによって、第１差し込み部２２と第１側壁部１，３のそれぞれとが十字状に組まれるので、第１差し込み部２２と第１側壁部１，３との所定の位置関係を維持することができ、以って内箱の型崩れを防止することができる。
【００８３】
しかも、ステップ（ｃ）で説明した様に、第１スリット１１１の長さＬ１は、第１スリット１１１，１１２間の距離Ｌ２と第１スリット１１２の長さＬ３との和と略同一である。また、ステップ（ｅ）で説明した様に、Ｅ２１線及びＥ２２線上の折り目から第２スリット２２２までの距離Ｌ４，Ｌ５は、第１スリット１１１，１１２の長さＬ１，Ｌ３と略同一である。
【００８４】
よって、Ｅ２１線にて板部Ｒ２１を折り曲げて第１差し込み部２２をスリット１１１，３１１に差し込んだ場合には、第２スリット２２１，２２２の閉塞端２２１ｂ，２２２ｂが第１スリット１１１，３１１の閉塞端１１１ｂ，３１１ｂに一致した状態で、第１差し込み部２２と第１側壁部１，３のそれぞれとを十字状に組むことができる。そして、Ｅ２２線にて板部Ｒ２２を折り曲げて第１差し込み部２２をスリット１１２，３１２に差し込んだ場合にも、第２スリット２２１，２２２の閉塞端２２１ｂ，２２２ｂが第１スリット１１２，３１２の閉塞端１１２ｂ，３１２ｂに一致した状態で、第１差し込み部２２と第１側壁部１，３のそれぞれとを十字状に組むことができる。
【００８５】
これにより、第１スリット１１１，３１１（又は１１２，３１２）に差し込まれた第１差し込み部２２は、当該第１スリットから抜けにくくなり、以って内箱の型崩れを防止しつつ、内箱全体の強度を高めることができる。
【００８６】
第１差し込み部４２の形成・差し込み；；
第１差し込み部２２の形成と同様に、ステップ（ｂ）〜（ｅ）の実行後、Ｄ４線にて板材を「谷折り」とする。これにより、図１に示す如く、Ｄ４線に沿って第２側壁部４の上端縁４ａが形成されると共に、板部Ｒ４１が上端縁１ａ，３ａ側から第１側壁部１，３に被さる。尚、当該板部Ｒ４１は、第２側壁部４の上端縁４ａにて第２側壁部２へ向けて折り曲げられた折り曲げ部と把握することができる。
【００８７】
Ｄ４線で折り曲げることによって、Ｅ４１線に沿って付けられた折り目は第１スリット１１４，３１４上に位置し、Ｅ４２線に沿って付けられた折り目は第１スリット１１３，３１３上に位置する。これは、ステップ（ｃ）で説明した様に、Ｅ４１線及びＥ４２線上の折り目が、上端縁１ａの他端１１ｂから第１スリット１１３，１１４までの距離Ｌ１１３，Ｌ１１４に応じて形成されているからである。
【００８８】
次に、Ｅ４１線またはＥ４２線にて板部Ｒ２１を「谷折り」とする。これにより、板部Ｒ４１の先端部が底壁部５側へ折り曲げられて、第１差し込み部４２が形成される。このとき、第２スリット４２１，４２２は、第１差し込み部４２にのみ切り込まれた状態となる。これは、ステップ（ａ）で説明した様に、第２スリット４２１，４２２の形成に用いたスリットＨ４１，Ｈ４２（ステップ（ｅ））が、Ｅ４２線に対して板部Ｒ４とは反対側の位置にあるからである。
【００８９】
Ｅ４１線で折り曲げて形成された第１差し込み部４２は、第１スリット１１４，３１４に差し込まれる（図示せず）。他方、Ｅ４２線で折り曲げて形成された第１差し込み部４２は、図１に示される様に、第１スリット１１３，３１３に差し込まれる。
【００９０】
つまり、第１スリット１１３と第１スリット３１３は、第１差し込み部４２を差し込むためのスリットとして対を成し、第１スリット１１４と第１スリット３１４もまた、第１差し込み部４２を差し込むためのスリットとして対を成す。そして、第１差し込み部４２を差し込むために複数箇所に形成された一対の第１スリットは、第１差し込み部４２に対応した１つのスリット群を成している。
【００９１】
また、スリット４２１，４２２の形成に用いられるスリットＨ４１，Ｈ４２は、ステップ（ａ）で説明した様に、直線Ａ１０３，Ａ１０１から外側に少しだけずれた位置に形成されているので、第１スリット１１３，３１３及び第１スリット１１４、３１４のどちらに第１差し込み部４２を差し込む場合においても、第１差し込み部４２に形成されている第２スリット４２１には第１側壁部３を差し込むことができ、第２スリット４２２には第１側壁部１を差し込むことができる。つまり、第２スリット４２１，４２２は、第１側壁部３，１を差し込むためのスリットとして対をなしている。
【００９２】
第１スリット１１３又は１１４に第１差し込み部４２を差し込み、第２スリット４２２に第１側壁部１を差し込むことによって、第１スリット１１３または第１スリット１１４と、第２スリット４２２とが噛み合って、第１差し込み部４２と第１側壁部１とが十字状に組まれる。同様に、第１スリット３１３又は３１４に第１差し込み部４２を差し込み、第２スリット４２１に第１側壁部３を差し込むことによって、第１スリット３１３または第１スリット３１４と、第２スリット４２１とが噛み合って、第１差し込み部４２と第１側壁部３とが十字状に組まれる。
【００９３】
第１差し込み部４２の形成・差し込みによる効果；；
「第１差し込み部２２の形成・差し込みによる効果」で説明したのと同様に、第１差し込み部４２に対応した一対の第１スリットを複数箇所に形成することによって、当該一対の第１スリットに対して選択的に第１差し込み部４２を差し込むことができ、以って内箱の内部空間の拡縮が自在となる。
【００９４】
また、第１及び第２スリットを用いることによって、第１差し込み部４２と第１側壁部１，３のそれぞれとが十字状に組まれるので、第１差し込み部４２と第１側壁部１，３との所定の位置関係を維持することができ、以って内箱の型崩れを防止することができる。
【００９５】
しかも、「第１差し込み部２２の形成・差し込みによる効果」で説明したのと同じ理由から、一対の第１スリット１１３，３１３及び一対の第１スリット１１４，３１４のいずれに第１差し込み部４２を差し込んだ場合でも、第１差し込み部４２は当該第１スリットから抜けにくくなり、以って内箱全体の強度が高まる。
【００９６】
組み合わせの効果；；
一対の第１スリット１１１，３１１及び一対の第１スリット１１２，３１２への第１差し込み部２２の選択的な差し込みと、一対の第１スリット１１３，３１３及び一対の第１スリット１１４，３１４への第１差し込み部４２の選択的な差し込みとを組み合わせることによって、４通りの組み合わせが実現でき、以って内部空間の大きさを４段階で調節できる。
【００９７】
更にステップ（ｄ）を組み合わせることによって、内箱の深さも調節することができ、内部空間の大きさを８段階に調節することができる。
【００９８】
よって、製品ごとに形状や寸法が異なる場合であっても、その製品の形状や寸法に合った緩衝材を同じ内箱から得ることができる。このため、形状や寸法の異なる製品において内箱を共通化することができる。
【００９９】
その他の効果；；
第１差し込み部２２，４２は、板部Ｒ２１，Ｒ４２の先端部を折り曲げることによって形成されるので、内箱の内部空間を仕切るための部材を別途に用意する必要がなく、以って内箱の製造が簡略化されている。
【０１００】
また、板部Ｒ２１にはＥ２１線及びＥ２２線に沿って折り目が付けられているので、内箱を作製する作業者は、折り曲げ位置を認識しやすい。板部Ｒ４１についても同様である。しかも作業者は、第１差し込み部２２，４２を差し込もうとする一対の第１スリットの位置に応じて折り目を選択するだけでよいので、当該折り目がない場合に比べて作業効率が向上し、更には作製された内箱の形状ばらつきが低減される。
【０１０１】
ステップ（ｇ）；
ステップ（ｆ）の実行に並行して、図３に示されるＦ２３線及びＦ２５線にて板部Ｒ２及び板部Ｒ２１のそれぞれを「谷折り」とし、図３に示されるＦ２４線にて板部Ｒ２２を「山折り」とする。これにより、図５または図６に示す如く、板部Ｒ２２は、板部Ｒ２，Ｒ２１に対して内側へと折れ曲がった状態となる。これにより、内箱の型崩れを防止しつつ、内箱の強度を高めることができる。
【０１０２】
同様に、Ｆ４３線及びＦ４５線（図２）にて板部Ｒ４及び板部Ｒ４１のそれぞれを「谷折り」とし、Ｆ４４線にて板部Ｒ４２（図２）を「山折り」とする。これにより、図１に示す如く、板部Ｒ４２は、板部Ｒ４，Ｒ４１に対して内側へと折れ曲がった状態となる。これにより、内箱の型崩れを防止しつつ、内箱の強度を向上することができる。
【０１０３】
変形例１；
ステップ（ｆ）で説明した様に、上述した内箱では、第１差し込み部２２を差し込むための一対の第１スリットは２箇所に形成されているが、より複数の箇所に形成されてもよい。同様に、第１差し込み部４２を差し込むための一対の第１スリットについても、より複数の箇所に形成することができる。これにより、内部空間の大きさをより多段階で調節することが可能となる。
【０１０４】
尚、一対の第１スリットを複数個所に形成した場合には、ステップ（ｃ）で説明した「第１スリットに関する寸法（その２）」の内容は、同じ第１側壁部に属する第１スリットのうち隣接した２つの第１スリットに対して適用される。
【０１０５】
変形例２；
ステップ（ｄ）で説明した様に、上述した内箱では、第２差し込み部１２を差し込むための第３スリットＩ１１，３１６は一対しか形成されていないが、複数対が深さ方向に並んで形成されてもよい。これにより、内箱の深さをより多段階で調節することが可能となる。
【０１０６】
変形例３；
ステップ（ｆ）で説明した様に、上述した内箱では、第１差し込み部２２，４２を形成し、第１差し込み部２２，４２のそれぞれに対応するスリット群を形成したが、いずれか一方だけ、例えば第１差し込み部２２とこれに対応するスリット群だけを形成してもよい。
【０１０７】
また、ステップ（ｄ）で説明した様に、上述した内箱では、第２差し込み部１２が第１差し込み部２２，４２と共に形成されていたが、第２差し込み部１２のみを形成してもよい。
【０１０８】
ただ、第１差し込み部２２，４２の両方、更に第２差し込み部１２を形成したほうが、形状や寸法の異なったより多くの製品において内箱を共通化することができる点で好ましい。
【０１０９】
変形例４；
上述した内箱ではステップ（ｃ）で説明した様に、第１スリット１１１の長さＬ１は、第１スリット１１１，１１２間の距離Ｌ２と第１スリット１１２の長さＬ３との和と略同一であるが、長さＬ１が長さＬ２よりも大きければ、以下の効果が得られる。
【０１１０】
つまり、スリット１１１に第１差し込み部２２を差し込んだ場合に、スリット１１１の開放端１１１ａから距離Ｌ２以上下がった位置に閉塞端２２２ｂがくるようにスリット２２２を形成することができる。かかるスリット２２２によれば、スリット１１２に第１差し込み部２２を差し込む場合にも、スリット１１２の開放端１１２ａから所定の距離だけ下がった位置にスリット２２２の閉塞端２２２ｂが位置する。よって、スリット１１１，１１２のいずれに第１差し込み部２２を差し込んだ場合であっても、第１差し込み部２２と第１側壁部１，３のそれぞれとを十字状に組むことができ、以って内箱の型崩れを防止することができる。
【０１１１】
尚、本発明の各部構成は上記実施の形態に限らず、特許請求の範囲に記載の技術的範囲内で種々の変形が可能である。
【図面の簡単な説明】
【０１１２】
【図１】本発明の実施の形態に係る内箱を示した斜視図である。
【図２】本発明の実施の形態に係る内箱の展開図である。
【図３】内箱を組み立てる過程を示した斜視図である。
【図４】内箱を組み立てる過程を示した斜視図である。
【図５】内箱を組み立てる過程を示した斜視図である。
【図６】内箱を組み立てる過程を示した斜視図である。
【符号の説明】
【０１１３】
１，３  第１側壁部
２，４  第２側壁部
１ａ〜４ａ  上端縁
１１ａ  上端縁の端
１ｂ，３ｂ  下端縁
１１１〜１１４，３１１〜３１４  第１スリット
Ｌ１，Ｌ３  第１スリットの長さ
Ｌ２  隣接する第１スリット間の距離
Ｌ１１１，Ｌ１１２  端から第１スリットまでの距離
Ｒ１１  板部（折り返し部）
１２  第２差し込み部
Ｉ１１，３１６  第３スリット
Ｌ６  第２差し込み部の長さ
Ｌ７  第２差し込み部の根元から上端縁までの距離
Ｒ２１，Ｒ４１  板部（折り曲げ部）
２２，４２  第１差し込み部
２２ａ  先端縁
２２１，２２２  第２スリット
Ｌ４，Ｌ５  折り目と第２スリットとの距離
【図１】
2009241948.tif 000003
【図２】
2009241948.tif 000004
【図３】
2009241948.tif 000005
【図４】
2009241948.tif 000006
【図５】
2009241948.tif 000007
【図６】
2009241948.tif 000008